(57)【特許請求の範囲】
【請求項１】
電子レンジによって加熱調理可能なレンジ用パウチを内部に収納する紙箱であって、
紙箱の側面板と底面板にわたって設けた破断可能な複数の脆弱線と、
脆弱線と脆弱線との間にかけて設けられた折り曲げ可能な複数の罫線と、
に囲まれた可動部を有し、
底面板に設けた罫線の中央部が凸状の切り込みになっており、該凸状の切り込みにより可動部を可動させた時に紙箱内部側から外側へ凸状に飛び出す枕部が形成されていることを特徴とするレンジ用パウチ収納箱。
【請求項２】
前記可動部の底面板と側面板との境界に押し込み部を設けたことを特徴とする請求項１に記載のレンジ用パウチ収納箱。
【請求項３】
前記押し込み部は少なくとも１本の罫線により形成されており、側面板から底面板側に傾斜していることを特徴とする請求項１または２に記載のレンジ用パウチ収納箱。
【請求項４】
底面板に設けられた脆弱線の長さは、側面板の高さよりも長いことを特徴とする請求項１〜３のいずれかに記載のレンジ用パウチ収納箱。
【請求項５】
紙箱の側面板と底面板にわたって設けられた破断可能な複数の脆弱線は右脆弱線と左脆弱線とからなり、前記右脆弱線と前記左脆弱線との幅は、側面板から底面板にいくに従っ
て広がっていることを特徴とする請求項１〜４のいずれかに記載のレンジ用パウチ収納箱。
【発明の詳細な説明】
【技術分野】
【０００１】
本発明は、レンジ用パウチを紙箱に入れたまま、電子レンジで高周波加熱により調理可能なレンジ用パウチ収納箱に関する。
【背景技術】
【０００２】
調理済みレトルトカレーのように、加熱するだけで賞味することができる食品類は、簡単に食事をとる事ができる為、近年、独身者のみならず、老齢者や、料理に時間をかけられない人々にとって、簡便に食事を取ることができる手段になっている。
このような食品は、カレー、シチュー、酢豚、ミートボール煮、八宝菜など、内部に水分が入っていて、水分が高周波でエネルギー準位をあげる励起現象を起こし、振動や回転をすることによって、周囲の他の成分もそのエネルギーが伝わることで、加熱調理される。加熱された水の一部は、蒸気となって膨張し、包装容器であるパウチを内部から押し広げる力となり、内部圧力が上昇し、丸く膨んでくる。
もし、そのまま、パウチ内部の圧力が上昇し、内部の水分が沸騰するようなことになると、パウチは爆発し、高温になった内容物が飛び散り、火傷を負うおそれがある。
そこで、このような事が起きないよう、パウチには、蒸気抜き機能を設けている。しかし、もし、蒸気抜き機能部分がパウチ側部にあり、高温になった内容物である液体が蒸気抜き機能部分に接している場合、高温の内容物がパウチから飛び散るおそれがあった。
さらに、加熱が終了し、取り出す時に、パウチが高温になっているので、火傷を負う恐れもあった。
【０００３】
このようなことが起きないように、パウチを、紙箱に入れて、そのまま電子レンジで加熱できるようにすれば、より、安全であり、電子レンジ内へ置く場合にも、はっきり表記し易いなどのメリットもある。
特に、紙箱の断熱性により、取り出す時に、火傷を負い難いメリットもある。
【０００４】
このような電子レンジによるレトルト食品の紙箱に入れたまま行う加熱について、例えば、特許文献１では、電子レンジ用包装箱の天面に帯状の開封用ジッパーが設けられており、ジッパーから開封し、箱の上部側の裏面側に折り曲げることで枕にし、加熱時に内容物が蒸気抜き部に接しないようにしたものである。
しかし、消費者がこのような煩雑な作業を行うのは煩わしい。
【０００５】
また、特許文献２では、電子レンジで加熱を行った時に天面に設けた開封部分が自動で開封する自動開封機能付き電子レンジ用箱入り包装袋が提案されている。
【０００６】
この電子レンジ用箱入り包装袋は、単純に箱の向きを確認して電子レンジに入れ、加熱できるので、手間は無く調理可能である。
しかし、蒸気抜き部が開封部に向かって突出するようになっているので、加熱すると蒸気抜き部が自然と持ち上がる構造になっている為、蒸気抜き部に内容物が接するおそれがない。しかし、蒸気抜き部が側部にあるような構造のパウチを用いた場合には、加熱時に内容物が蒸気抜き部に接してしまうおそれがあった。
【先行技術文献】
【特許文献】
【０００７】
【特許文献１】特許第４１８６７２６号公報
【特許文献２】特許第５０６２４０９号公報
【発明の概要】
【発明が解決しようとする課題】
【０００８】
そこで、調理に手間を掛けず、かつ、蒸気抜き部を高い位置に持ち上げ、火傷を負い難い、電子レンジによって加熱調理可能なレンジ用パウチを内部に収納する紙箱を提供することが、本発明の課題である。
【課題を解決するための手段】
【０００９】
本発明は、電子レンジによって加熱調理可能なレンジ用パウチを内部に収納する紙箱であって、紙箱の側面板と底面板にわたって設けた破断可能な複数の脆弱線と、脆弱線と脆弱線との間にかけて設けられた折り曲げ可能な複数の罫線と、に囲まれた可動部を有し、底面板に設けた罫線の中央部が凸状の切り込みになっており、該凸状の切り込みにより可動部を可動させた時に紙箱内部側から外側へ凸状に飛び出す枕部が形成されていることを特徴とするレンジ用パウチ収納箱である。
【発明の効果】
【００１０】
本発明のレンジ用パウチ収納箱は、単に可動部を押し込むだけで、レンジ用パウチの蒸気抜き部を上方に向けて傾けて固定する枕部を形成できる。その為、手間をかけずに、内容物がそのまま噴出すことが無いようにして、電子レンジで加熱調理が可能である。
また、高温の蒸気が排出する枕部から離れた位置に開口部を設けたので、箱から取り出す際に、火傷を負い難いなどの効果がある。
【図面の簡単な説明】
【００１１】
【図１】本発明のレンジ用パウチ収納箱の一例で、未加熱における収納状態と、可動部を押して枕部を立てた状態とにおける底面側から見た斜視図である。
【図２】本発明のレンジ用パウチ収納箱の一例で、可動部を押して枕部を立てた状態と、電子レンジで加熱した状態とにおける上面側から見た斜視図である。
【図３】本発明のレンジ用パウチ収納箱の一例で、収納箱の展開図である。
【図４】本発明のレンジ用パウチ収納箱の一例で、未加熱における収納状態と、可動部を押して枕部を立てた状態とにおける断面図である。
【図５】本発明のレンジ用パウチ収納箱の一例で、電子レンジでの加熱状態と、電子レンジ加熱が終了してパウチを取り出す状態とにおける断面図である。
【図６】本発明のレンジ用パウチ収納箱に入れるレンジ用パウチの例である。
【発明を実施するための形態】
【００１２】
以下、本発明のレンジ用パウチ収納箱の実施形態例について、図を用いて詳細に説明する。
図１は本発明のレンジ用パウチ収納箱の一例で、図１−１は、未加熱における収納状態の底面側から見た斜視図である。
レンジ用パウチ収納箱１は、扁平の直方体形状で、底面板１２の四辺にはそれぞれ垂直に立った側面板１３が設けられている。
その側面板１３のひとつの正側面板１３１と底面板１２に連通して、右脆弱線３１と左脆弱線３２が設けられ、それらの脆弱線の上端には上罫線３３、底面板１２側端部には枕罫線３４が設けられている。これら右脆弱線３１、左脆弱線３２、上罫線３３、枕罫線３４に囲まれる部分は、脆弱線を切断することにより、可動部３となる。
また、底面板１２側の枕罫線３４の中央には、可動部３を可動させた時に外側に凸状に飛び出すように、切り込みにより枕部３５が設けられている。
さらに、可動部３の正側面板１３１と底面板１２との間には、少なくとも一本の罫線が設けられ、可動部３を収納箱の内側に押し込む為の押し込み部になっているが、図１−１で示すように、２本の弧で形成する押し込み罫線３６１で形成される押し込み部３６を傾斜した面にしておくと、押し込みやすくなる。
【００１３】
図１−２は、可動部を押して枕部３５を立てた状態を底面側から見た斜視図である。
可動部３の右脆弱線３１と左脆弱線３２は、ミシン目のように部分的に切れ目を入れたり、厚みのいくらかを切断している半抜きなどに切断された線で、押し込み部３６を押すことによって、容易に切断される。
特に、底面板における右脆弱線３１と左脆弱線３２の長さは側面板１３の高さよりも少し長めに形成されている。その為、押し込み部３６を押し込むと、可動部３の側面板部分は上面板１１に押し付けられる状態となり、可動部３が押し込まれた状態で固定される。この時、同時に枕部３５が底面板１２から飛び出して立ち上がる。
【００１４】
図２は、本発明のレンジ用パウチ収納箱の一例で、図２−１は、可動部３を押して枕部３５を立てた状態で、電子レンジで加熱する前の上面側から見た斜視図である。
上面板１１には開口脆弱線１１２が形成されており、開口してパウチを取り出すことができるような大きな面積の開口部１１１を形成している。
開口部１１１は、箱を組み立てた時、可動部３と干渉しないよう、上面板１１における可動部の対向位置１１３から離すことが好ましい。
【００１５】
図２−２は、電子レンジで加熱した状態における上面側から見た斜視図である。
レンジ用パウチは、内容物に含有する水分が高周波加熱により沸騰し、体積を増して膨らむ。膨らむと、レンジ用パウチは球形に近くなろうとして、厚みが大きくなり、収納箱１の高さを大きく越える。その為、開口部１１１の内側をパウチが押して、開口脆弱線１１２を破断し、開口する。
開口部１１１の大きさは、上面板面積の３分の１以上、好ましくは２分の１以上で、３分の２以下が好ましい。開口部１１１面積が大きすぎると、収納箱全体が膨らんで、レンジ用パウチの力だけで、開口脆弱線１１２が破断してので、わざわざハサミや手で切らないと開口できない。また、３分の１未満で小さい場合、レンジ用パウチを収納箱から取り出し難い問題がある。
面積以外に、開口部１１１の最大幅を、レンジ用パウチの幅からシール部分を除いた幅近傍にまで広げておくことが好ましい。さらにレンジ用パウチの蒸気抜き部４１は開口部１１１とは反対側に位置するように収容されている。これにより、レンジ用パウチを取り出す時には蒸気抜き部とは反対側をつかむことができる為、取り出す時にやけどをするおそれがない。
【００１６】
図３は、本発明のレンジ用パウチ収納箱１の一例における展開図である。
上面板１１から右側面板１３４に連通して、開口脆弱線１１２が走り、開口部１１１が形成されている。合わせて、右側面のりしろ１３４０にも脆弱線１３４１が設けられている。
底面板１２から正側面板のりしろ１３１０に連通して、右脆弱線３１と左脆弱線３２が設けられ、合わせて、正側面板１３１にも脆弱線１３１１が設けられている。
右脆弱線３１と左脆弱線３２は、正側面板１３１側から底面板１２に向けてハの字形状になっていることが好ましい。これは十分な大きさの枕部２５を形成するために、枕罫線３４を長く取りたいが、可動部が大きすぎると押し込みづらくなってしまう為、枕罫線３４は長めに取り、かつ押し込み部分は極力小さくしようとしたい為である。
【００１７】
図４は、本発明のレンジ用パウチ収納箱の一例で、図４−１は、未加熱における収納状態における断面図である。
レンジ用パウチ４が、レンジ用パウチ収納箱１に収納されている。
レンジ用パウチ４は、表裏が軟質のフィルムで、周囲をシールされた袋状のパウチで、高圧力、高温であっても、破損しにくい丈夫なフィルムで構成されている。
レンジ用パウチ４には蒸気抜き部４１があり、内部圧力が一定以上に大きくなった場合、内部の蒸気を逃がすようになっている。
蒸気抜き部４１は、図６−１や図６−３で示すようなシール部が周囲の融着部よりも内側に突出してあって、そこが内部圧力により周囲よりも先に剥離して開口するものや、図６−２のように、穴があり、その周囲の融着部が、内部圧力で先に剥離するもの、図６−４のように、切り口周囲に外周のシール部４０より低い融着強度のフィルムを融着しているものなど、どのようなものでもかまわない。
【００１８】
図４−２は、電子レンジ加熱する直前における未加熱状態におけるレンジ用パウチ収納箱の断面図である。
可動部３を押し込み、枕部３５を立てている。枕部３５を立てることによって、レンジ用パウチ４の上部が持ち上がり、内容部が蒸気抜き部に接しない位置まで下方に移動する。これによって、内容物が沸騰しても、内容物の汁などが直接外に噴出すことが無いようにしている。
【００１９】
図５は、本発明のレンジ用パウチ収納箱の一例で、図５−１は、電子レンジで加熱している状態における断面図である。
内容物が沸騰し、水蒸気などが発生している。レンジ用パウチ４は、内部圧力が上昇すると、レンジ用パウチ４は膨らみ、収納箱を押し広げ、開口脆弱線１１２が破断し、開口部１１１が開口する。さらに、レンジ用パウチ４は一定の内部圧力が上昇すると蒸気抜き部から発生した蒸気が抜ける。蒸気は近傍の可動部３の左右が大きく開いているので、主に可動部３近傍から逃げる。
【００２０】
図５−２は、電子レンジ加熱が終了し、沸騰が収まり、蒸気抜きが終了した後、開口部１１１を大きく開けて、レンジ用パウチ４を取り出している状態を示した断面図である。蒸気抜き部４１から内容物が漏れる恐れがあるので、できるだけ上を向けて取り出す。
【００２１】
本発明に用いられるレンジ用パウチは、通常のレトルト用パウチと同じ構成のフィルムを使用できる。
例えば、外層から、ポリアミド／無水マレイン酸変性ポリエチレン／ポリアミド／ポリエチレン・酢酸ビニル共重合体鹸化物／無水マレイン酸変性ポリエチレン／ポリエチレン、ポリエチレン／ポリエチレンテレフタレート／アルミニウム箔／ポリエチレン／ポリアミド／ポリエチレン、
ポリプロピレン／アルミニウム箔／ポリエチレン／ポリアミド／ポリエチレン、
ポリエチレンテレフタレート／アルミニウム箔／ポリエチレン、
などの構成が考えられる。
アルミニウム箔は香りを逃がさない役目を担い、厚みは１２〜２４マイクロメーターにする。酸化珪素蒸着のポリエチレンフィルムなどで代用しても良い。また、ポリエチレンテレフタレートフィルムの厚みは８〜２５マイクロメーターなどが使用できる。
これらのフィルムは、通常のドライラミネーション機、エクストルーダーラミネート機などで製造できる。
【００２２】
レンジ用パウチ収納箱に用いられる台紙は、内容物の重量によって異なるが、通常、紙の厚みである坪量は、１２０ｇ／ｍ２から４００ｇ／ｍ２の範囲で使用可能である。また、紙の密度を０．６〜１．１ｇ／ｃｍ３の範囲にする。
内面あるいは内外面をポリエチレンなどでコートしたものでも良い。
【００２３】
本発明のレンジ用パウチ収納箱１は、一般的なカートニングマシンにセットすれば、容易に組立てが可能である。まず、スリーブを起こし、カレーなどの内容物が充填されたレンジ用パウチ４を装填し、側面板を折りこんで、適時ホットメルト接着剤を介在して、自動で組立てることができる。
【００２４】
本発明のレンジ用パウチ収納箱１は、以上の様なもので、単純に、折り込み部３に指を突っ込んで押し込み、枕部３５を立てて、それを下にして電子レンジで加熱するだけで、道具も要らず、迅速に調理ができ、加熱によって内容物が噴出すなどの問題も無い。
そのように、手間も掛からず、加熱後、紙箱に入っているので、火傷もしないで、電子レンジから取り出せるなど、メリットは大きい。
【符号の説明】
【００２５】
１・・・・・・・・・レンジ用パウチ収納箱
１１・・・・・・・・上面板
１１１・・・・・・・開口部
１１２・・・・・・・開口脆弱線
１１３・・・・・・・対向位置（可動部の対向位置）
１２・・・・・・・・底面板
１３・・・・・・・・側面板
１３１・・・・・・・正側面板
１３１０・・・・・・正側面のりしろ
１３２・・・・・・・側面板
１３３・・・・・・・左側面板
１３４・・・・・・・右側面板
１３４０・・・・・・右側面のりしろ
３・・・・・・・・・可動部
３１・・・・・・・・右脆弱線
３２・・・・・・・・左脆弱線
３３・・・・・・・・上罫線
３４・・・・・・・・枕罫線
３５・・・・・・・・枕部
３６・・・・・・・・押し込み部
３６１・・・・・・・押し込み罫線
４・・・・・・・・・レンジ用パウチ
４０・・・・・・・・シール
４１・・・・・・・・蒸気抜き部
５・・・・・・・・・内容物
【図１】
0006428099.tif 000002
【図２】
0006428099.tif 000003
【図３】
0006428099.tif 000004
【図４】
0006428099.tif 000005
【図５】
0006428099.tif 000006
【図６】
0006428099.tif 000007